(57)【特許請求の範囲】
【請求項１】
ネットワークと複数のノードとに接続し、
前記ネットワーク内の波長パスに関するパラメータに基づいて、品質劣化が検出された波長パスを第一劣化パスとして検出する第一劣化パス検出手段と、
前記第一劣化パスと少なくとも一部が同じリンクを通過するパスである関連パスを検出する関連パス検出手段と、 
前記関連パスから第二劣化パスを検出する第二劣化パス検出手段と、
前記第一劣化パスおよび前記第二劣化パスの双方が通過するノード又はノード間を接続するリンクである、故障ノード又は故障リンクの位置を特定する故障位置特定手段と
を有する制御装置。
【請求項２】
前記第二劣化パス検出手段は、前記パラメータの平均値と実際値との差異の計算結果に基づいて、前記第二劣化パスを検出する請求項１に記載の制御装置。
【請求項３】
前記第二劣化パス検出手段は、前記パラメータの平均値と実際値の差異の大きい順に、所定数の前記第二劣化パスを検出する請求項１又は請求項２に記載の制御装置。
【請求項４】
前記第一劣化パス検出手段は、波長パスごとのＢＥＲ（Ｂｉｔ  Ｅｒｒｏｒ  Ｒａｔｅ）の平均値に基づき、前記第一劣化パスを検出する請求項１乃至３のいずれか１つに記載の制御装置。
【請求項５】
前記パラメータは、累積ＣＤ（Ｃｈｒｏｍａｔｉｃ  Ｄｉｓｐｅｒｓｉｏｎ）、ＰＭＤ（Ｐｏｌａｒｉｚａｔｉｏｎ  Ｍｏｄｅ  Ｄｉｓｐｅｒｓｉｏｎ）、ＯＳＮＲ（Ｏｐｔｉｃａｌ  Ｓｉｇｎａｌ  Ｎｏｉｓｅ  Ｒａｔｉｏ）及びＢＥＲのうちの少なくとも１つを含む請求項１乃至４のいずれか１つに記載の制御装置。
【請求項６】
リンクによって相互に接続される複数のノードを含むネットワークと、
前記ノードを通過する波長パスの品質に関するパラメータをモニタするモニタ手段と、
モニタされた前記パラメータに基づいて、品質劣化が検出された波長パスを第一劣化パスとして検出する第一劣化パス検出手段と、
前記第一劣化パスと少なくとも一部が同じリンクを通過するパスである関連パスを検出する関連パス検出手段と、
前記関連パスから劣化パスを第二劣化パスとして検出する第二劣化パス検出手段と、
前記第一劣化パスおよび前記第二劣化パスの双方が通過するノード又はノード間を接続するリンクである、故障ノード又は故障リンクの位置を特定する故障位置特定手段と
を有する通信システム。
【請求項７】
前記第二劣化パス検出手段は、前記パラメータの平均値と実際値との差異の計算結果に基づいて、前記第二劣化パスを検出する請求項６に記載の通信システム。
【請求項８】
前記第二劣化パス検出手段は、前記パラメータの平均値と実際値の差異の大きい順に、所定数の前記第二劣化パスを検出する請求項６又は７に記載の通信システム。
【請求項９】
前記第一劣化パス検出手段は、波長パスごとのＢＥＲ（Ｂｉｔ  Ｅｒｒｏｒ  Ｒａｔｅ）の平均値に基づき、前記第一劣化パスを検出する請求項６乃至８のいずれか１つに記載の通信システム。
【請求項１０】
前記パラメータは、累積ＣＤ（Ｃｈｒｏｍａｔｉｃ  Ｄｉｓｐｅｒｓｉｏｎ）、ＰＭＤ（Ｐｏｌａｒｉｚａｔｉｏｎ  Ｍｏｄｅ  Ｄｉｓｐｅｒｓｉｏｎ）、ＯＳＮＲ（Ｏｐｔｉｃａｌ  Ｓｉｇｎａｌ  Ｎｏｉｓｅ  Ｒａｔｉｏ）及びＢＥＲのうちの少なくとも１つを含む請求項６乃至９のいずれか１つに記載の通信システム。
【請求項１１】
ネットワーク内の波長パスに関するパラメータに基づいて、品質劣化が検出された波長パスを第一劣化パスとして検出し、
前記第一劣化パスと少なくとも一部が同じリンクを通過するパスである関連パスを検出し、
前記関連パスから第二劣化パスを検出し、
前記第一劣化パスおよび前記第二劣化パスの双方が通過するノード又はノード間を接続するリンクである、故障ノード又は故障リンクの位置を特定する通信方法。
【請求項１２】
前記パラメータの平均値と実際値との差異の計算結果に基づいて、前記第二劣化パスを検出する請求項１１に記載の通信方法。
【請求項１３】
前記パラメータの平均値と実際値の差異の大きい順に、所定数の前記第二劣化パスを検出する請求項１１又は１２に記載の通信方法。
【請求項１４】
波長パスごとのＢＥＲ（Ｂｉｔ  Ｅｒｒｏｒ  Ｒａｔｅ）の平均値に基づき、前記第一劣化パスを検出する請求項１１乃至１３のいずれか１つに記載の通信方法。
【請求項１５】
前記パラメータは、累積ＣＤ（Ｃｈｒｏｍａｔｉｃ  Ｄｉｓｐｅｒｓｉｏｎ）、ＰＭＤ（Ｐｏｌａｒｉｚａｔｉｏｎ  Ｍｏｄｅ  Ｄｉｓｐｅｒｓｉｏｎ）、ＯＳＮＲ（Ｏｐｔｉｃａｌ  Ｓｉｇｎａｌ  Ｎｏｉｓｅ  Ｒａｔｉｏ）及びＢＥＲのうちの少なくとも１つを含む請求項１１乃至１４のいずれか１つに記載の通信方法。
【請求項１６】
ネットワーク内の波長パスに関するパラメータに基づいて、品質劣化が検出された波長パスを第一劣化パスとして検出する第一劣化パス検出処理と、
前記第一劣化パスと少なくとも一部が同じリンクを通過するパスである関連パスを検出する関連パス検出処理と、
前記関連パスから第二劣化パスを検出する第二劣化パス検出処理と、
前記第一劣化パスおよび前記第二劣化パスの双方が通過するノード又はノード間を接続するリンクである、故障ノード又は故障リンクの位置を特定する故障位置特定処理とを含む通信プログラム。
【請求項１７】
前記第二劣化パス検出処理は、前記パラメータの平均値と実際値との差異の計算結果に基づいて、前記第二劣化パスを検出する請求項１６に記載の通信プログラム。
【請求項１８】
前記第二劣化パス検出処理は、前記パラメータの平均値と実際値の差異の大きい順に、所定数の前記第二劣化パスを検出する請求項１６又は１７に記載の通信プログラム。
【請求項１９】
前記第一劣化パス検出処理は、波長パスごとのＢＥＲ（Ｂｉｔ  Ｅｒｒｏｒ  Ｒａｔｅ）の平均値に基づき、前記第一劣化パスを検出する請求項１６乃至１８のいずれか１つに記載の通信プログラム。
【請求項２０】
前記パラメータは、累積ＣＤ（Ｃｈｒｏｍａｔｉｃ  Ｄｉｓｐｅｒｓｉｏｎ）、ＰＭＤ（Ｐｏｌａｒｉｚａｔｉｏｎ  Ｍｏｄｅ  Ｄｉｓｐｅｒｓｉｏｎ）、ＯＳＮＲ（Ｏｐｔｉｃａｌ  Ｓｉｇｎａｌ  Ｎｏｉｓｅ  Ｒａｔｉｏ）及びＢＥＲのうちの少なくとも１つを含む請求項１６乃至１９のいずれか１つに記載の通信プログラム。
【発明の詳細な説明】
【技術分野】
【０００１】
本発明は、通信ネットワークにおいて使用される、制御装置、通信システム、通信方法、および通信プログラムを記憶する記憶媒体に関する。
【背景技術】
【０００２】
波長分割多重（ＷＤＭ：Ｗａｖｅｌｅｎｇｔｈ  ｄｉｖｉｓｉｏｎ  ｍｕｌｔｉｐｌｅｘｉｎｇ）技術は、１本の光ファイバに異なる波長チャネルを収容する方法を提供する。
【０００３】
ネットワークを介して光信号を伝送するチャネルを波長チャネルと呼ぶ。近年、単一の波長チャネルを介して最高１００Ｇｂｐｓ（Ｇｉｇａ  ｂｉｔ  ｐｅｒ  ｓｅｃｏｎｄ）におよぶ高速伝送を実現する高度光伝送技術が開発されている。
【０００４】
今までに知られているように、光信号の劣化は、増幅器の自然放出（ＡＳＥ： Ａｍｐｌｉｆｉｅｒ Ｓｐｏｎｔａｎｅｏｕｓ Ｅｍｉｓｓｉｏｎ）、波長分散（ＣＤ：Ｃｈｒｏｍａｔｉｃ  Ｄｉｓｐｅｒｓｉｏｎ）、偏波モード分散（ＰＭＤ：Ｐｏｌａｒｉｚａｔｉｏｎ  Ｍｏｄｅ  Ｄｉｓｐｅｒｓｉｏｎ）、非線形性などのような光レイヤにおける物理的障害により発生する。上記の物理的障害は、結局のところ、波長チャネルの受信機においてビットエラーを発生させることになる。波長チャネルごとの伝送速度が高速になるに伴い、光信号は、物理的障害の影響を受けやすくなる。 ＷＤＭネットワークの信頼性の向上を実現するため、光信号に偶発的なエラーが発生することを防ぐプロテクション機構が強く望まれる。
【０００５】
非特許文献１における障害管理は、ＷＤＭネットワークのプロテクション機能を提供する。一般的に、プロテクション機構は、故障検出、故障通知、故障位置特定および故障の復旧の４つの手順を有する。
【０００６】
故障検出において、光電力レベルモニタ、あるいは光特性モニタを使用することにより、故障は、信号障害（ＳＦ：Ｓｉｇｎａｌ  ｆａｉｌｕｒｅ）あるいは信号劣化（ＳＤ：Ｓｉｇｎａｌ  Ｄｅｇｒａｄａｔｉｏｎ）として特定される。特に、光特性モニタは、光信号対雑音比（ＯＳＮＲ：Ｏｐｔｉｃａｌ  Ｓｉｇｎａｌ  Ｎｏｉｓｅ  Ｒａｔｉｏ）、波長分散（ＣＤ）または偏波モード分散（ＰＭＤ）などをモニタ結果として提供することができ、物理的障害のモニタに使用することができる。故障通知は、信号故障（ＳＦ）または信号劣化（ＳＤ）により故障が発生した旨を決定部にするために使用されるものであり、故障検出の後に行われてもよい。決定部は、故障回復決定を行う。故障通知は、光レイヤもしくは制御プレーンにより提供することができる。制御プレーンは、プレーンもしくはネットワークであり、波長パスの構築に使用される。非特許文献１によれば、通知機構は、一般的なマルチプロトコルラベルスイッチング（ＧＭＰＬＳ：ｇｅｎｅｒａｌｉｚｅｄ  ｍｕｌｔｉ−ｐｒｏｔｏｃｏｌ  ｌａｂｅｌ  ｓｗｉｔｃｈｉｎｇ)ベースの制御プレーンを使用して実現される。故障位置特定において、故障が発生した位置に関する情報は、決定部に提供される。その位置は、ノードであるかもしれないし、ノード間のリンクであるかもしれない。
【０００７】
この情報に基づき、決定部は、故障の発生したノードあるいはリンクを回避してトラヒックを迂回させるための決定を的確に行うことができる。故障通知を受信した時、決定部は故障回復手順を行い、影響を受けるトラヒックを迂回させる。
【０００８】
信号劣化による故障の発生位置の特定に関する提案が特許文献１に開示されている。特許文献１によれば、光特性モニタは、光ファイバリンクを通過するすべての波長チャネルをモニタするために、すべての光スイッチ機器（たとえば、再構成可能な光挿入分岐多重化装置（ＲＯＡＤＭ：Ｒｅ−ｃｏｎｆｉｇｕｒａｂｌｅ  Ｏｐｔｉｃａｌ  Ａｄｄ／Ｄｒｏｐ  Ｍｕｌｔｉｐｌｅｘｅr）、波長クロスコネクト装置（ＷＸＣ：Ｗａｖｅｌｅｎｇｔｈ  ｃｒｏｓｓ−Ｃｏｎｎｅｃｔ））に、または、すべての光ファイバリンクに沿って、設置される。このモニタ位置情報に基づいて、信号劣化による故障の位置を把握することができる。
【０００９】
その他の関連技術として、特許文献２および特許文献３は、次のような技術を記載している。
【００１０】
特許文献２は、テスト信号が流れるパスについて、パス上の各ノードにおいてこのテスト信号をループバックさせることにより、パス上の故障を検出するという方法を開示している。
【００１１】
特許文献３は、ネットワーク内に任意に設置された波長分散モニタのモニタ結果に基づいて、信号劣化が発生したときに影響を受けると思われる波長パスグループを計算する方法と、波長パス情報はネットワーク管理システム（ＮＭＳ：ｎｅｔｗｏｒｋ  ｍａｎａｇｅｍｅｎｔ  ｓｙｓｔｅｍ）によって保持されることとを開示する。
【先行技術文献】
【特許文献】
【００１２】
【特許文献１】特開２００８−１６６９３５号公報
【特許文献２】特開２００２−２７１２６７号公報
【特許文献３】特開２００６−０６０５７１号公報
【非特許文献】
【００１３】
【非特許文献１】Ｊ．Ｐ．Ｌａｎｇ  ｅｔ  ａｌ．，  “ＲＳＶＰ−ＴＥ  Ｅｘｔｅｎｓｉｏｎｓ  ｉｎ  ｓｕｐｐｏｒｔ  ｏｆ  ｅｎｄ−ｔｏ−ｅｎｄ  ＧＭＰＬＳ  ｒｅｃｏｖｅｒｙ”，  ＩＥＴＦ  ＲＦＣ  ４８７２，  Ｍａｙ  ２００７．
【発明の概要】
【発明が解決しようとする課題】
【００１４】
特許文献１によれば、上述したように、光特性モニタは、すべてのノード、もしくはリンクに設置される。しかしながら、光特性モニタは高価であるため、すべての波長チャネルをモニタするためにすべての光スイッチング機器に光特性モニタを設置することは、モニタに対する過剰投資（ＣＡＰＥＸ：ＣＡｐｉｔａｌ  ＥＸｐｅｎｄｉｔｕｒｅ）に帰することになる。
【００１５】
さらに、故障位置特定は、特許文献１に記載されているほど正確である必要はない。なぜなら、実際のネットワークで使用するためには、障害が発生する場所を、複数の可能性のある場所として特定すれば十分であるからである。そのため、特許文献１記載の方法は、モニタに対する過剰なＣＡＰＥＸを必要とする。
【００１６】
本発明は、上記状況を鑑みて発明されたものであり、本発明の目的は、制御装置、通信システム、通信方法、および通信プログラムを記憶する記憶媒体を提供することにある。
【課題を解決するための手段】
【００１７】
制御装置は、ネットワークと複数のノードとに接続され、前記ネットワーク内の波長パスに関する受信パラメータに基づいて、品質劣化が検出された波長パスを第一劣化パスとして検出する第一劣化パス検出手段と、前記第一劣化パスと関連を有する関連パスを計算する関連パス計算手段と、前記関連パスから第二劣化パスを検出する第二劣化パス検出手段と、前記第一劣化パスおよび前記第二劣化パスの双方が通過するノード又はノード間を接続するリンクである、故障ノード又は故障リンクの位置を特定する故障位置特定手段とを有する。
【００１８】
通信システムは、リンクによって相互に接続される複数のノードを含むネットワークと、前記ノードを通過する波長パスの品質に関するパラメータをモニタするモニタ手段と、モニタされた前記パラメータに基づいて、品質劣化が検出された波長パスを第一劣化パスとして検出する第一劣化パス検出手段と、前記第一劣化パスと関連を有する関連パスを計算する関連パス計算手段と、前記関連パスから劣化パスを第二劣化パスとして検出する第二劣化パス検出手段と、前記第一劣化パスおよび前記第二劣化パスの双方が通過するノード又はノード間を接続するリンクである、故障ノード又は故障リンクの位置を特定する故障位置特定手段とを有する。
【００１９】
通信方法は、ネットワーク内の波長パスに関する受信パラメータに基づいて、品質劣化が検出された波長パスを第一劣化パスとして検出し、前記第一劣化パスと関連を有する関連パスを計算し、前記関連パスから第二劣化パスを検出し、 前記第一劣化パスおよび前記第二劣化パスの双方が通過するノード又はノード間を接続するリンクである、故障ノード又は故障リンクの位置を特定する。
【００２０】
通信プログラムを記憶する記憶媒体は、ネットワーク内の波長パスに関する受信パラメータに基づいて、品質劣化が検出された波長パスを第一劣化パスとして検出する第一劣化パス検出処理と、前記第一劣化パスと関連を有する関連パスを計算する関連パス計算処理と、前記関連パスから第二劣化パスを検出する第二劣化パス検出処理と、前記第一劣化パスおよび前記第二劣化パスの双方が通過するノード又はノード間を接続するリンクである、故障ノード又は故障リンクの位置を特定する故障位置特定処理とを含む。
【発明の効果】
【００２１】
本発明によれば、光特性モニタをネットワーク内に存在するすべてのノードおよびすべてのリンクに設置する必要はない。したがって、本発明は、コスト低減を実現しながら、信号が劣化する障害が発生した場所を特定することができる。
【図面の簡単な説明】
【００２２】
【図１】は、第１の実施形態における制御装置の構成を示す図である。
【図２】は、第１の実施形態における動作を示すフローチャートである。
【図３】は、第２の実施形態における通信システムの構成を示すブロック図である。
【図４】は、第２の実施形態における通信システムの構成を示すブロック図である。
【図５】は、第２の実施形態における波長パスデータベースの構成を示すブロック図である。
【図６】は、第２の実施形態におけるノードの構成を示すブロック図である。
【図７】は、第２の実施形態におけるディジタル信号処理機能を有しないトランスポンダの構成を示すブロック図である。
【図８】は、第２の実施形態におけるディジタル信号処理機能を有するトランスポンダの構成を示すブロック図である。
【図９】は、第２の実施形態におけるノード信号劣化部の構成を示すブロック図である。
【図１０】は、第２の実施形態における動作を示すフローチャートである。
【図１１】は、第２の実施形態における動作を示すフローチャートである。
【図１２】は、第２の実施形態におけるリンクテーブルを示す。
【図１３】は、第２の実施形態におけるパラメータテーブルを示す。
【図１４】は、第２の実施形態における通信システムのバリエーションを示すブロック図である。
【発明を実施するための形態】
【００２３】
以下に、本発明の実施形態について、図面を参照して、詳細に説明する。
【００２４】
＜第１の実施形態＞
（第１の実施形態の構成）
図１は、制御装置１０００の構成を示す。
【００２５】
図１によれば、制御装置１０００は、第一劣化パス検出部１００１、関連パス計算部１００２、第二劣化パス検出部１００３、および故障位置特定部１００４を有する。
【００２６】
第一劣化パス検出部１００１は、制御装置１０００が接続されるネットワークを介して、波長パスの品質に関するパラメータのモニタ結果を受信する。そして、第一劣化パス検出部１００１は、受信したモニタ結果に基づき、パラメータが劣化したパスを第一劣化パスとして検出する。
【００２７】
関連パス計算部１００２は、第一劣化パスと関連を有する関連パスを計算する。
【００２８】
第二劣化パス検出部１００３は、関連パスから劣化パスを第二劣化パスとして検出する。
【００２９】
故障位置特定手段１００４は、第一劣化パスおよび第二劣化パスの双方が通過するノードもしくはリンクを、故障ノードもしくは故障リンクとして、その位置を特定する。
【００３０】
（第１の実施形態の動作）
図２は、制御装置１０００の動作を示す。制御装置１０００および制御装置１０００の各構成要素が行なう動作について、以下で説明する。
【００３１】
まず、第一劣化パス検出部１００１は、モニタされ受信された波長パスの品質に係るパラメータに基づき、パラメータが劣化したパスを第一劣化パスとして検出する（Ｓ１００１）。
【００３２】
そして、関連パス計算部１００２は、Ｓ１００１において検出された第一劣化パスと関連を有する関連パスを計算する（Ｓ１００２）。
【００３３】
次に、第二劣化パス検出部１００３は、ステップＳ１００２において計算された関連パスから劣化パスを第二劣化パスとして検出する（Ｓ１００３）。
【００３４】
最後に、故障位置特定部１００４は、ノードあるいはリンクを故障ノードあるいは故障リンクとしてその位置を特定する（Ｓ１００４）。故障ノードおよび故障リンクは、第一劣化パスおよび第二劣化パスの双方が通過するものである。
【００３５】
（第１の実施形態の効果）
上記説明によれば、制御装置１０００は、第一劣化パスを検出し、さらにその第一劣化パスと関連を有する第二劣化パスを計算することにより、故障ノードもしくは故障リンクの位置の特定を行う。
【００３６】
そのため、第１の実施形態によれば、光特性モニタをネットワーク内のすべてのノード、およびすべてのリンクに設置する必要はない。 そのため、本発明はコストダウンを実現しつつ、信号が劣化する障害が発生した位置を特定することができる。
【００３７】
＜第２の実施形態＞
以下に、第２の実施形態について詳細に説明する。
【００３８】
（第２の実施形態の構成）
図３は、ＷＤＭネットワークの構成を示すブロック図である。 図３によれば、ＷＤＭネットワークは、ノード１０１ないし１０５、ネットワーク管理システム（ＮＭＳ）３００、第一劣化パス検出部４００、関連パス計算部５００、第二劣化パス検出部６００、故障位置特定計算部７００、および波長パスデータベース（ＷＰ  ＤＢ）８００を含む。
【００３９】
ＮＭＳ３００は、ＷＤＭネットワークを管理する。たとえば、ＮＭＳ３００は、波長リソースを管理し、故障回復決定を行う。ＮＭＳ３００は、波長パスの受信側ノードから信号劣化情報を、要求に応じてもしくは定期的に収集する。
【００４０】
図３において、ＮＭＳ３００は、ノード１０１ないし１０５に接続され、それらの通信状況を、波長パスを介して管理する。図面の簡略化のために、図３においては、ＮＭＳ３００と、ノード１０２および１０５との間の接続のみを示しているが、図３には示されていないものの、ＮＭＳ３００は、ノード１０１，１０３および１０４にも接続されている。
【００４１】
第一劣化パス検出部４００は、各ノードにおけるモニタ結果をＮＭＳ３００から受け取る。そして、第一劣化パス検出部４００は、第一劣化パスを検出する。第一劣化パスとは、品質に関するパラメータが劣化したパスのことをいう。
【００４２】
ノード１０１ないし１０５が第一劣化パスを自ら検出できる場合、第一劣化パス検出部４００はなくとも良い。
【００４３】
関連パス計算部５００は、関連パスを計算する。関連パスとは、第一劣化パスと関連を持つパスのことをいう。
【００４４】
第二劣化パス検出部６００は、関連パス計算部５００が計算した関連パスから第二劣化パスを計算する。
【００４５】
故障位置特定計算部７００は、故障の発生場所を計算し、ビットエラーの要因である物理的障害を把握する。 
波長パスデータベース８００は、各リンクの状態および波長パスに関するパラメータを記憶する。図５は、波長パスデータベース８００の構成を示す。 図５のように、波長パスデータベース８００は、リンクテーブル８０１およびパラメータテーブル８０２を含む。リンクテーブル８０１およびパラメータテーブル８０２については、以下に詳細に説明する。
【００４６】
ノード１０１ないし１０５は、双方向光ファイバによって相互に接続され、光信号が逆方向にも伝送される。同一の方向に伝送される複数の光信号は、互いに異なる波長により搬送される。ノード１０１ないし１０５のそれぞれは、波長パスの切り替えができるネットワークエレメント（ＮＥｓ：Ｎｅｔｗｏｒｋ  Ｅｌｅｍｅｎｔｓ）型に属し、たとえば、ＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ：再構成可能な光挿入分岐多重化装置）やＷＸＣ（Ｗａｖｅｌｅｎｇｔｈ  Ｃｒｏｓｓ  Ｃｏｎｎｅｃｔ：波長クロスコネクト装置）である。
【００４７】
ノード１０１ないし１０５、および、上記の各部に関する詳細は、後述される。
【００４８】
図３に示す光ネットワークにおける波長パスは、ノード１０１ないし１０５のうちの一のノードが送信し、当該ノード１０１ないし１０５のうちの他のノードが受信する光信号を搬送する波長パスであってもよい。波長パスは、光ファイバに沿ってノード１０１ないし１０５のうちの複数のノードを通過するが、この波長パスは、各光ファイバの１つの波長を占有するのみである。以下の説明では、簡単にするために、少数の波長パスが用いられる。
【００４９】
たとえば、図４には、ノード１０１とノード１０３との間に波長パスＷＰ−Ａが示されている。通常、波長パスは双方向であるが、図４では、簡単にするために、一方向だけを示す。波長パスＷＰ−Ａに沿って、ノード１０１，１０２および１０３が設置される。また、波長パスＷＰ−Ａに沿って、ノード対（１０１、１０２）間およびノード対（１０２、１０３）間に光ファイバが敷設される。また、図４には、波長パスＷＰ−ＢとＷＰ−Ｃも示されている。パスＷＰ−Ｂに沿ってノード１０２，１０１および１０５が設置され、ノード対（１０２、１０１）間およびノード対（１０１、１０５）間に光ファイバが敷設される。パスＷＰ−Ｃに沿ってノード１０４，１０３および１０２が設置され、ノード対（１０４、１０３）間およびノード対（１０３、１０２）間に光ファイバが敷設される。
【００５０】
ノード１０１の構造を図６に示す。図６によれば、ノード１０１は、波長パススイッチ１１０、ノード制御部１２０、ノード信号劣化管理部１３０、およびトランスポンダ１４０を含む。上述したように、ノード１０１は、光ファイバを介して他のノードと接続される。光ファイバは、トランスポンダ１４０に接続される。他のノード１０２ないし１０５もノード１０１と同じ構造を有するため、他のノードの構造は省略する。さらに、図６には図示されないが、ノード間を接続する光ファイバは、複数のインライン増幅器を含んでもよい。
【００５１】
波長パススイッチ１１０は、ノード１０１において、トランスポンダ１４０を介して、一の入力側光ファイバから他の出力側光ファイバへと波長パスを切り替える。
【００５２】
第１の実施形態において、２つのタイプのトランスポンダが考慮される。その１つは、ディジタルコヒーレント送受信部を有しないトランスポンダである。そして、他の１つは、ディジタルコヒーレント送受信部を有するトランスポンダである。
【００５３】
前者のトランスポンダの構造を図７に示す。トランスポンダ１４０は、波長パスに対して光信号を送受信するために使用される。図７によれば、トランスポンダ１４０は、非ディジタルコヒーレント型ＷＤＭ信号送信部１４２、非ディジタルコヒーレント型ＷＤＭ信号受信部１４４、ＦＥＣ（Ｆｏｒｗａｒｄ  Ｅｒｒｏｒ  Ｃｏｒｒｅｃｔｉｏｎ：フォワード型誤り訂正）部１４５、ローカル信号受信部１４１、およびローカル信号送信部１４３を含む。
【００５４】
ＷＤＭ信号は、非ディジタルコヒーレント型ＷＤＭ信号受信部１４４により受信される。また、ＷＤＭ信号は、非ディジタルコヒーレント型ＷＤＭ信号送信部１４２により送信される。入力クライアント信号は、ローカル信号受信部１４１により受信される。 また、入力クライアント信号は、ローカル信号送信部１４３により送信される。 クライアント信号のフォーマットは、ギガビットイーサネット（ＧｂＥ：Ｇｉｇａ−ｂｉｔ  Ｅｔｈｅｒｎｅｔ（登録商標））、１０ＧｂＥ、ＳＴＭ（Ｓｙｎｃｈｒｏｎｏｕｓ  Ｔｒａｎｓｐｏｒｔ  Ｍｏｄｕｌｅ：同期転送モジュール）−４/１６/６４、もしくは、ＯＣ（Ｏｐｔｉｃａｌ  Ｃａｒｒｉｅｒ：オプティカルキャリア）-１２/４８/１９２などに準拠してもよい。
【００５５】
ＦＥＣ部１４５において、誤りビットは訂正される。訂正したビット数が多いということは、発生した誤りが多く、信号劣化が大きいという状態下にあることを意味する。ＢＥＲ（Ｂｉｔ  Ｅｒｒｏｒ  Ｒａｔｅ：ビット誤り率）は、所定期間内における、誤りが訂正されたビット数と、受信ビット数の総計との比で計算されてもよい。ＢＥＲ情報は、ノード信号劣化管理部１３０に送付されるべきものである。このタイプのトランスポンダの場合、エラーの原因を知ることができない。
【００５６】
上述した後者のトランスポンダ、すなわち、ディジタルコヒーレント送受信部を有するトランスポンダの構造は、図８に示される。トランスポンダ１４０は、波長パスに対して光信号を送受信するために使用される。図８によれば、トランスポンダ１４０は、ディジタルコヒーレント型光ＷＤＭ信号送信部２４２、ディジタルコヒーレント型光ＷＤＭ信号受信部２４４、ディジタル信号処理（ＤＳＰ）・ＦＥＣ部２４５、ローカル信号受信部２４１、およびローカル信号送信部２４３を含む。
【００５７】
ＷＤＭ信号は、ディジタルコヒーレント型光ＷＤＭ信号受信部２４４により受信される。また、ＷＤＭ信号は、ディジタルコヒーレント型光ＷＤＭ信号送信部２４２により送信される。入力クライアント信号は、ローカル信号受信部２４１により受信される。また、入力クライアント信号は、ローカル信号送信部２４３により送信される。 クライアント信号のフォーマットは、ＧｂＥ、１０ＧｂＥ、ＳＴＭ−４/１６/６４、もしくは、ＯＣー１２/４８/１９２などに準拠してもよい。
【００５８】
ディジタルコヒーレント送受信部を有しないトランスポンダとの相違点について、以下に説明する。１番目の相違点は、送受信部で処理されるＷＤＭ信号が、光振幅変調、光周波数変調もしくは光位相変調されることである。また、第二の相違点は、コヒーレント光信号を復調する必要があるので、該送受信部の構造が、非ディジタルコヒーレント送受信部１４２および１４４と比べて、より複雑になることである。
【００５９】
コヒーレント光通信の場合、ディジタル信号処理（ＤＳＰ）モジュールは、ディジタルコヒーレント型光ＷＤＭ信号受信部２４４とで対をなしてもよい。ＤＳＰは、コヒーレント光受信部により受信された光変調波信号を復調するために使用される。現在では、ＤＳＰモジュールにおけるアナログ・ディジタル（Ａ／Ｄ）変換により、ＣＤやＰＭＤによる物理的障害を、ディジタル的に補償することが可能である。そのため、ＣＤやＰＭＤによって生じる信号劣化を、ＤＳＰモジュールが推定してもよい。
【００６０】
ＤＳＰ・ＦＥＣ部２４５において、何らかの信号処理アルゴリズムを採用することにより物理的障害は分離され、さらに等化器（ｅｑｕａｌｉｚｅｒ）により等化される。第２の実施形態において、ＣＤおよびＰＭＤのような物理的障害に関する情報は、ノード信号劣化管理部１３０に送信される。当該ＣＤもしくはＰＭＤは、ＤＳＰ・ＦＥＣ部２４５が計算した所定期間内の平均値である。
【００６１】
このタイプのトランスポンダの場合、ＤＳＰ・ＦＥＣ部２４５は、光特性モニタとして動作し、複数の物理的障害が分離されてモニタされる。そのことは、モニタコストの削減に非常に有利となる。
【００６２】
図９に示すように、ノード信号劣化管理部１３０は、信号劣化データベース１３１と故障検出決定部１３２とを含む。ＦＥＣ部１４５もしくはＤＳＰ・ＦＥＣ部２４５から訂正されたビットを含む統計情報を受信したとき、ノード信号劣化管理部１３０は、信号劣化データベース１３１を更新する。故障検出決定部１３２は、受信した統計情報を予め設定された信号劣化閾値と比較することにより、ＮＭＳ３００に通知するべきか否かを決定してもよい。
【００６３】
故障検出部１３２は、何らかのアルゴリズムを使用して、故障検出部１３２がＮＭＳ３００に通知するべきか否かを決定してもよい。このアルゴリズムは、信号品質についての閾値を使用してもよい。たとえば、閾値Ｘが故障検出部１３２において設定されたとする。また、Ｙは、ＦＥＣ部１４５から送信されたＢＥＲ値、あるいはＤＳＰ・ＦＥＣ部２４５から送信されたＣＤ/ＰＭＤ値とする。ＹがＸより大きい場合、ノード信号劣化管理部１３０は、ノード制御部１２０に信号劣化の検出を伝える。そして、ノード制御部１２０は、ＮＭＳ３００に信号劣化故障を通知する。
【００６４】
さらに、図３および図４に示す第一劣化パス検出部４００がネットワーク内に設置される場合、第一劣化パス検出部４００は第一劣化パスを検出するので、ノード信号劣化管理部１３０を省略してもよい。
【００６５】
（第２の実施形態の動作）
以下に、第２の実施形態の動作について図面を参照しながら説明する。
【００６６】
最初に、各波長パスは、物理的障害を起こす可能性のあるパラメータを測定するためにモニタされ、そのパラメータの長期間の平均値が計算される。パラメータは、上述したような累積（ａｃｃｕｍｕｌａｔｅｄ）ＣＤ、ＰＭＤ、非線形効果、もしくはＯＳＮＲでもよい。
【００６７】
波長パスにおいて信号劣化が検出された場合における平均値に基づいた故障位置特定に関する動作について、以下に説明する。加えて、その動作は、トランスポンダ１４０のタイプによって、すなわちディジタルコヒーレント送受信部を有するか否かによって相違する。２つのタイプのトランスポンダの動作について、以下に説明する。 さらに、以下の説明では、トランスポンダ１４０はノード１０１が保有するものとする。
【００６８】
トランスポンダ１４０が図７に示すディジタルコヒーレント送受信部を有しないタイプのトランスポンダである場合についての動作を、図１０を参照して、説明する。
【００６９】
最初に、ノード１０１は、ノード１０１を終端点とする各波長パスのＢＥＲ平均値をモニタする（Ｓ１０１）。図７に示すトランスポンダ１４０は、ノード１０１が波長パスの終端点である時、ＢＥＲの実際の値を取得することができる。
【００７０】
次に、ステップＳ１０２において、第一劣化パス検出部４００もしくはノード信号劣化管理部１３０は、ステップＳ１０１の結果に基づき、第一劣化パスを検出する。第一劣化パスの数は、１かもしれないし、２以上かもしれない。劣化パスが検出された場合、ノード１０１は、波長パスのモニタを継続する。
【００７１】
第一劣化パスを検出したとき、ステップＳ１０３が実行される。Ｓ１０３において、関連パス計算部４００は、第一劣化パスについての関連パスを計算する。そして、関連パス計算部４００は、波長パスデータベース８００からその関連パスのＢＥＲの実際値を取得する。 関連パスの数は、１かもしれないし、２以上かもしれない。
【００７２】
関連パスの計算が終了した後、第二劣化パス検出部６００は、ステップＳ１０４において、第二劣化パスを検出する。劣化パス検出部６００は、関連パスごとにＢＥＲ平均値とＢＥＲ実際値とを比較し、関連パスからＮ個のパスを選択する。Ｎは、１以上の予め設定された値である。ＢＥＲ実際値がＢＥＲ平均値を超過した量の大きい順に、Ｎ個のパスを選択する。
【００７３】
最後に、ステップＳ１０５において、故障位置特定部７００は、第一劣化パスおよびＮ個の選択されたパスのすべてが通過するノードもしくはリンクの位置を特定することによって、故障ノードもしくは故障リンクの位置を特定する。
【００７４】
トランスポンダ１４０が図８に示すディジタルコヒーレント送受信部を有するタイプのトランスポンダである場合についての動作を、図１１を参照して、説明する。
【００７５】
最初に、ノード１０１は、ノード１０１を終端点とする各波長パスのＢＥＲ平均値をモニタする（Ｓ２０１）。ノード１０１のトランスポンダ１４０は、ディジタルコヒーレント送受信部を有するタイプのトランスポンダであるので、ノード１０１は、ＢＥＲだけでなく、累積ＣＤ、ＰＭＤおよびＯＳＮＲのようなパラメータを取得してもよい。
【００７６】
次に、Ｓ２０２において、第一劣化パス検出部４００もしくはノード信号劣化管理部１３０は、Ｓ２０１の結果に基づき、第一劣化パスを検出する。第一劣化パスの数は、１かもしれないし、２以上かもしれない。劣化パスが検出された場合、ノード１０１は、波長パスのモニタを継続する。
【００７７】
第一劣化パスを検出したとき、ステップＳ２０３が実行される。Ｓ２０３において、関連パス計算部４００は、第一劣化パスについての関連パスを計算する。そして、関連パス計算部４００は、波長パスデータベース８００からその関連パスのＢＥＲの実際値を取得する。関連パスの数は、１かもしれないし、２以上かもしれない。
【００７８】
関連パスの計算が終了した後、第二劣化パス検出部６００は、ステップＳ２０４において、第二劣化パスを検出する。劣化パス検出部６００は、関連パスごとにパラメータの平均値と実際値とを比較し、関連パスからＮ個のパスを選択する。Ｎは、１以上の予め設定された値である。１以上のパラメータの実際値がそのパラメータの平均値を超過した量の大きい順に、Ｎ個のパスを選択する。
【００７９】
最後に、ステップＳ２０５において、故障位置特定部７００は、第一劣化パスおよび選択されたパスのすべてが通過するノードもしくはリンクの位置を特定することによって、故障ノードもしくは故障リンクの位置を特定する。さらに、ノード１０１が上述した複数のパラメータをモニタすることができるので、故障位置特定部７００は、どのパラメータが故障の原因となっているのかを求める。
【００８０】
（動作の例）
以下に、故障位置の特定と、その故障に対する物理的障害の分析とを実行する例について、図４に示すネットワークと波長構成に基づいて、説明する。
【００８１】
まず、ＮＭＳ３００は、ノード１０１ないし１０５のうちの１つのノードから、波長パスに関する信号劣化故障通知を受け取る。ＮＭＳ３００は、故障通知の代わりに、モニタされた波長パスに関するパラメータだけを受信してもよい。本例において、故障波長パスをＷＰ−Ａとする。また、ＷＰ−Ａの終端点であるノード１０５においてＷＰ−Ａの故障が検出されたとき、ＮＭＳ３００は、ノード１０５からその通知を受信する。
【００８２】
次に、第一劣化パス検出部４００は、ＮＭＳ３００が波長パスに関するモニタされたパラメータだけを受信したとき、第一劣化パスを検出する。
【００８３】
そして、関連パス計算部５００は、第一劣化パスが通過するリンクをどの波長パスが通過するか把握するための計算を行う。
【００８４】
波長パス情報は、波長パスデータベース８００から取り出すことができる。図１２は、波長パスデータベース８００内のリンクテーブル８０１を示す。リンクテーブル８０１は、ＷＰ−Ａ、ＷＰ−Ｂ、およびＷＰ-Ｃがどのリンクを通過するかを示している。なお、テーブルにおいて「１」は、波長パスの１つがリンクを通過することを示し、「０」は、通過しないことを示す。図１２に示すように、ＷＰ−Ｂ及びＷＰ−Ｃは、ＷＰ−Ａと、ファイバリンク（１０１、１０２）及び（１０２、１０３）により、それぞれ関連を有する。したがって、関連パス計算部５００は、ＷＰ−ＢおよびＷＰ-ＣがＷＰ−Ａの関連パスであることを検出する。
【００８５】
第一波長パスが通過するリンクを通過する他の波長パスを計算した後、ＮＭＳ３００は、パス関連計算部５００が計算した関連パスの受信部から信号劣化情報を収集する。
【００８６】
図４において、ＷＰ−ＢおよびＷＰ-Ｃの両端の終端点、すなわち、ノード１０２，１０３および１０４に、ＤＳＰ・ＦＥＣ部２４５を有するディジタルコヒーレント送受信部が設置されているとする。上述したように、ＤＳＰ・ＦＥＣ部２４５において、ＣＤおよびＰＭＤのような物理的障害を分離し、モニタすることができる。したがって、ＮＭＳ３００は、ＣＤやＰＭＤに関する劣化情報を収集することができる。収集されたＢＥＲ、ＣＤ、およびＰＭＤに関する劣化情報(図１３に示す。）は、故障位置特定計算部７００に送信される。
【００８７】
最後に、関連パス計算部５００によって送信された波長パス情報およびＮＭＳ３００が収集したＷＰ−ＢおよびＷＰ-Ｃに関する信号劣化情報に基づいて、故障位置特定部７００は、ＷＰ−Ａにビットエラーを生じさせるような、信号の劣化が生じる位置を計算する。
【００８８】
図１３は、ＢＥＲ、累積ＣＤおよびＰＭＤの平均値および実際値を、波長パスごとに記憶するパラメータテーブル８０２を示す。図１３には図示されないが、パラメータテーブル８０２は、ＢＥＲ、累積ＣＤおよびＰＭＤ以外のパラメータを記憶していてもよい。ＯＳＮＲまたは非線形効果を示すパラメータが、上記パラメータに含まれていてもよい。
【００８９】
平均値は、長期間モニタされたパラメータの平均値を意味する。 また、実際値は、短期間モニタされたパラメータの値を意味する。
【００９０】
たとえば、ＷＰ−Ａの場合、ＢＥＲの平均値は、１０の−５乗（１０−５）であり、ＢＥＲの実際値は１０の−３乗（１０−３）である。累積ＣＤの平均値は、３２０００ｐｓ／ｎｍ（ｐｉｃｏ  ｓｅｃｏｎｄ  ｐｅｒ  ｎａｎｏ  ｍｅｔｅｒ）であり、累積ＣＤの実際値は、３１９８０ｐｓ／ｎｍである。同様に、ＰＭＤの平均値は、３８ｐｓであり、ＰＭＤの実際値は、４２ｐｓである。
【００９１】
故障位置特定部７００は、パラメータテーブル８０２を検索して、ＷＰ−Ａの関連パス（たとえば、図４および図１３の例では、ＷＰ−ＢおよびＷＰ-Ｃが相当する。）のパラメータの平均値と実際値の相違を求める。そして、故障位置特定部７００は、ＷＰ−Ｂにおいて、ＢＥＲおよびＰＭＤの実際値が平均値よりも大きく増加していることを検知する。したがって、故障位置特定部７００は、故障が発生している場所は、ＷＰ−ＡとＷＰ−Ｂとの双方が通過するリンク（１０１、１０２）であると特定できる。
【００９２】
さらに、ＷＰ−ＡおよびＷＰ−Ｂの双方において、ＰＭＤの実際値は平均値から大きく増加しているが、累積ＣＤの実際値は大きな変化がないことがわかる。したがって、故障位置特定部７００は、ＰＭＤがリンク（１０１、１０２）において故障を発生させるパラメータであると検知できる。ＰＭＤと累積ＣＤの双方の実際値が平均値から増加している場合、故障位置特定部７００は、ＰＭＤと累積ＣＤの双方が故障を引き起こしていると検知できる。
【００９３】
ＷＰ−Ａに対する原因分析を簡単に行うために、故障位置特定部７００は、ＷＰ−Ａにおける信号劣化故障を検出したときに、ＷＰ−Ａ受信部から収集した障害情報（累積ＣＤおよびＰＭＤ）をチェックする。収集した信号劣化情報において、信号劣化（累積ＣＤおよびＰＭＤの一方もしくは双方）の増加が観測される場合、ＷＰ−Ａに流れる信号が（１０１、１０２）にて劣化し、その劣化原因は増加した物理的障害（ＣＤおよびＰＭＤの一方もしくは双方）であると言うことができる。
【００９４】
図４に示す例では、ＷＰ−Ａが通過するリンクごとにＷＰ−Ａの関連パスが存在するが、全ての関連パスが通過するリンクが存在してもよい。このような場合、以下に説明するように、故障位置を特定し、その故障原因を求めることができる。
【００９５】
図４において、ＷＰ-Ｃが存在しないと仮定する。この場合、ＷＰ−Ｂでは信号劣化の増加が観測されないとすると、ＷＰ−Ａに流れる信号がリンク（１０２、１０３）にて劣化していると言うことができる。また、その劣化原因は、上述した簡単な原因分析方法を用いれば、ＷＰ−Ａに流れる信号に関する情報に基づいて決定することができる。
【００９６】
図４には示されていないが、ディジタルコヒーレント送受信部が接続される他の波長パス、たとえば、ＷＰ−Ｄ、ＷＰ−Ｅ、・・・、ＷＰ−Ｘなどが、多くのノード対間に設定されている場合、ＷＰ−Ａにおいてビットエラーを発生させる物理的障害をより精細に求めることができる。すなわち、ディジタルコヒーレント送受信部が接続されている複数の他の波長パスが、ＷＰ−Ａを構成する各リンクを通過するように、ＷＰ−Ａを構成する各リンクを設計しておけば、多くの関連パス情報を使用した精細な故障位置特定の実現が可能となる。
【００９７】
（第２の実施形態の変形）
図３および図４において、ＮＭＳ３００、第一劣化パス検出部４００、関連パス計算部５００、第二劣化パス検出部６００、故障位置特定部７００、および波長パスデータベース８００はそれぞれ分離されたユニットであるが、それらは制御装置のような１つのユニットに統合されてもよい。
【００９８】
図１４は、制御装置２０００を示す。図１４によれば、制御装置２０００は、ＮＭＳ３００、第一劣化パス検出部４００、関連パス計算部５００、第二劣化パス検出部６００、故障位置特定部７００、および波長パスデータベース８００を含む。
【００９９】
制御装置２０００の各部、および各部の動作は、上述した各部およびその動作と同じであるので、制御装置２０００の各部および各部の動作の説明は省略する。
【０１００】
（第２の実施形態の効果）
上述した第２の実施形態によれば、外部の光特性モニタを使用せずに、故障位置の特定が可能であり、どの障害がビットエラーを引き起こしているのかを求めることができる。その理由として、第一に、現存する波長パス情報を用いて関連パスを計算することにより、信号が劣化しているリンクを見つけ出すことができるからである。また、第二に、ＤＳＰを有する受信部であって関連波長パスの受信部により、補償すべき物理的障害が分離してモニタされるからである。
【０１０１】
本発明は、その実施形態を参照して示しかつ説明したが、本発明は、これらの実施形態に限定されない。請求項により定義される本発明の趣旨および範囲から逸脱することなく、本発明の態様および詳細について様々な変更を行うことができることは、当業者が理解するところであろう。
【０１０２】
たとえば、上述した各実施形態における動作（フローチャートおよび各シーケンスチャートに示される動作）を、ハードウェア、ソフトウェア、もしくはハードウェアとソフトウェアとの組み合わせにより実行することが可能である。
【０１０３】
ソフトウェアにより処理を行う場合、処理シーケンスを記録するプログラムを、専用ハードウェアに搭載したコンピュータのメモリにインストールし、そのプログラムを実行することが可能であろう。また、各種処理が可能な汎用コンピュータにそのプログラムをインストールし実行することも可能であろう。
【０１０４】
たとえば、そのプログラムは、記憶媒体としてハードディスクやＲＯＭ（Ｒｅａｄ  Ｏｎｌｙ  Ｍｅｍｏｒｙ）に予め記憶させることができる。ＣＤ-ＲＯＭ（Ｃｏｍｐａｃｔ  Ｄｉｓｃ  Ｒｅａｄ  Ｏｎｌｙ  Ｍｅｍｏｒｙ）、ＭＯ（Ｍａｇｎｅｔｏ  ｏｐｔｉｃａｌ）ディスク、ＤＶＤ（Ｄｉｇｉｔａｌ  Ｖｅｒｓａｔｉｌｅ  Ｄｉｓｃ）、磁気ディスク、半導体メモリなどの着脱可能な記憶媒体に、そのプログラムを一時的あるいは恒久的に記憶させることも可能である。このような着脱可能な記憶媒体を、いわゆるパッケージソフトウェアとして提供することができる。
【０１０５】
また、上述したように、そのプログラムを着脱可能な記憶媒体から読み出して、インストールすることが可能であろう。また、他の方法として、ダウンロードサイトからコンピュータにそのプログラムを無線で転送することも可能であろう。また、ＬＡＮ（Ｌｏｃａｌ  Ａｒｅａ  Ｎｅｔｗｏｒｋ）やインタネットなどのネットワークを介してそのプログラムを有線で転送することも可能であろう。コンピュータは転送されてきたプログラムを受信し、内蔵ハードディスクなどの記憶媒体にそのプログラムをインストールすることができる。
【０１０６】
また、上述した実施形態において説明したシステムが、複数の装置を論理的に組み合わせた構造を持ち、また各装置の機能を混在させた構成を持つことも可能である。
【０１０７】
上記のように開示された実施形態の全部あるいはその一部を、下記に示す付記のように記載することができる。ただし、本発明はこれらの付記に限定されない。
【０１０８】
（付記１）
ネットワークと複数のノードとに接続され、
前記ネットワーク内の波長パスに関する受信パラメータに基づいて、品質劣化が検出された波長パスを第一劣化パスとして検出する第一劣化パス検出手段と、
前記第一劣化パスと関連を有する関連パスを計算する関連パス計算手段と、
前記関連パスから第二劣化パスを検出する第二劣化パス検出手段と、
前記第一劣化パスおよび前記第二劣化パスの双方が通過するノード又はノード間を接続するリンクである、故障ノード又は故障リンクの位置を特定する故障位置特定手段と
を有する制御装置。
【０１０９】
（付記２）
前記第二劣化パス検出手段は、前記パラメータの平均値と実際値との差異の計算結果に基づいて、前記第二劣化パスを検出する付記１に記載の制御装置。
【０１１０】
（付記３）
前記第二劣化パス検出手段は、前記パラメータの平均値と実際値の差異の大きい順に、所定数の前記第二劣化パスを検出する付記１又は付記２に記載の制御装置。
【０１１１】
（付記４）
前記第一劣化パス検出手段は、波長パスごとのＢＥＲ（Ｂｉｔ  Ｅｒｒｏｒ  Ｒａｔｅ）の平均値に基づき、前記第一劣化パスを検出する付記１乃至３のいずれか１つに記載の制御装置。
【０１１２】
（付記５）
前記パラメータは、累積ＣＤ（Ｃｈｒｏｍａｔｉｃ  Ｄｉｓｐｅｒｓｉｏｎ）、ＰＭＤ（Ｐｏｌａｒｉｚａｔｉｏｎ  Ｍｏｄｅ Ｄｉｓｐｅｒｓｉｏｎ）、ＯＳＮＲ（Ｏｐｔｉｃａｌ Ｓｉｇｎａｌ  Ｎｏｉｓｅ Ｒａｔｉｏ）及びＢＥＲのうちの少なくとも１つを含む付記１乃至４のいずれか１つに記載の制御装置。
【０１１３】
（付記６）
リンクによって相互に接続される複数のノードを含むネットワークと、
前記ノードを通過する波長パスの品質に関するパラメータをモニタするモニタ手段と、
モニタされた前記パラメータに基づいて、品質劣化が検出された波長パスを第一劣化パスとして検出する第一劣化パス検出手段と、
前記第一劣化パスと関連を有する関連パスを計算する関連パス計算手段と、
前記関連パスから劣化パスを第二劣化パスとして検出する第二劣化パス検出手段と、
前記第一劣化パスおよび前記第二劣化パスの双方が通過するノード又はノード間を接続するリンクである、故障ノード又は故障リンクの位置を特定する故障位置特定手段と
を有する通信システム。
【０１１４】
（付記７）
前記第二劣化パス検出手段は、前記パラメータの平均値と実際値との差異の計算結果に基づいて、前記第二劣化パスを検出する付記６に記載の通信システム。
【０１１５】
（付記８）
前記第二劣化パス検出手段は、前記パラメータの平均値と実際値の差異の大きい順に、所定数の前記第二劣化パスを検出する付記６又は７に記載の通信システム。
【０１１６】
（付記９）
前記第一劣化パス検出手段は、波長パスごとのＢＥＲ（Ｂｉｔ  Ｅｒｒｏｒ  Ｒａｔｅ）の平均値に基づき、前記第一劣化パスを検出する付記６乃至８のいずれか１つに記載の通信システム。
【０１１７】
（付記１０）
前記パラメータは、累積ＣＤ（Ｃｈｒｏｍａｔｉｃ  Ｄｉｓｐｅｒｓｉｏｎ）、ＰＭＤ（Ｐｏｌａｒｉｚａｔｉｏｎ  Ｍｏｄｅ  Ｄｉｓｐｅｒｓｉｏｎ）、ＯＳＮＲ（Ｏｐｔｉｃａｌ  Ｓｉｇｎａｌ  Ｎｏｉｓｅ  Ｒａｔｉｏ）及びＢＥＲのうちの少なくとも１つを含む付記６乃至９のいずれか１つに記載の通信システム。
【０１１８】
（付記１１）
ネットワーク内の波長パスに関する受信パラメータに基づいて、品質劣化が検出された波長パスを第一劣化パスとして検出し、
前記第一劣化パスと関連を有する関連パスを計算し、
前記関連パスから第二劣化パスを検出し、 
前記第一劣化パスおよび前記第二劣化パスの双方が通過するノード又はノード間を接続するリンクである、故障ノード又は故障リンクの位置を特定する通信方法。
【０１１９】
（付記１２）
前記パラメータの平均値と実際値との差異の計算結果に基づいて、前記第二劣化パスを検出する付記１１に記載の通信方法。
【０１２０】
（付記１３）
前記パラメータの平均値と実際値の差異の大きい順に、所定数の前記第二劣化パスを検出する付記１１又は１２に記載の通信方法。
【０１２１】
（付記１４）
波長パスごとのＢＥＲ（Ｂｉｔ  Ｅｒｒｏｒ  Ｒａｔｅ）の平均値に基づき、前記第一劣化パスを検出する付記１１乃至１３のいずれか１つに記載の通信方法。
【０１２２】
（付記１５）
前記パラメータは、累積ＣＤ（Ｃｈｒｏｍａｔｉｃ  Ｄｉｓｐｅｒｓｉｏｎ）、ＰＭＤ（Ｐｏｌａｒｉｚａｔｉｏｎ  Ｍｏｄｅ  Ｄｉｓｐｅｒｓｉｏｎ）、ＯＳＮＲ（Ｏｐｔｉｃａｌ  Ｓｉｇｎａｌ  Ｎｏｉｓｅ  Ｒａｔｉｏ）及びＢＥＲのうちの少なくとも１つを含む付記１１乃至１４のいずれか１つに記載の通信方法。
【０１２３】
（付記１６）
ネットワーク内の波長パスに関する受信パラメータに基づいて、品質劣化が検出された波長パスを第一劣化パスとして検出する第一劣化パス検出処理と、
前記第一劣化パスと関連を有する関連パスを計算する関連パス計算処理と、
前記関連パスから第二劣化パスを検出する第二劣化パス検出処理と、
前記第一劣化パスおよび前記第二劣化パスの双方が通過するノード又はノード間を接続するリンクの位置を、故障ノードもしくは故障リンクとして特定する故障位置特定処理とを含む通信プログラムを記憶する記憶媒体。
【０１２４】
(付記１７）
前記第二劣化パス検出処理は、前記パラメータの平均値と実際値との差異の計算結果に基づいて、前記第二劣化パスを検出する付記１６に記載の通信プログラムを記憶する記憶媒体。
【０１２５】
（付記１８）
前記第二劣化パス検出処理は、前記パラメータの平均値と実際値の差異の大きい順に、所定数の前記第二劣化パスを検出する付記１６又は１７に記載の通信プログラムを記憶する記憶媒体。
【０１２６】
（付記１９）
前記第一劣化パス検出処理は、波長パスごとのＢＥＲ（Ｂｉｔ  Ｅｒｒｏｒ  Ｒａｔｅ）の平均値に基づき、前記第一劣化パスを検出する付記１６乃至１８のいずれか１つに記載の通信プログラムを記憶する記憶媒体。
【０１２７】
（付記２０）
前記パラメータは、累積ＣＤ（Ｃｈｒｏｍａｔｉｃ  Ｄｉｓｐｅｒｓｉｏｎ）、ＰＭＤ（Ｐｏｌａｒｉｚａｔｉｏｎ  Ｍｏｄｅ  Ｄｉｓｐｅｒｓｉｏｎ）、ＯＳＮＲ（Ｏｐｔｉｃａｌ  Ｓｉｇｎａｌ  Ｎｏｉｓｅ  Ｒａｔｉｏ）及びＢＥＲのうちの少なくとも１つを含む付記１６乃至１９のいずれか１つに記載の通信プログラムを記憶する記憶媒体。
【符号の説明】
【０１２８】
１０１、１０２、１０３、１０４、１０５  ノード
１１０  波長パススイッチ
１２０  ノード制御部
１３０  ノード信号劣化管理部
１３１  信号劣化データベース
１３２  故障検出部
１４０  トランスポンダ
１４１、２４１  ローカル信号受信部
１４２  非ディジタルコヒーレント型ＷＤＭ信号送信部
１４３、２４３  ローカル信号送信部
１４４  非ディジタルコヒーレント型ＷＤＭ信号受信部
１４５  ＦＥＣ部
２４２  ディジタルコヒーレント型光ＷＤＭ信号送信部
２４４  ディジタルコヒーレント型光ＷＤＭ信号受信部
２４５  ディジタル信号処理・ＦＥＣ部
３００  ＮＭＳ
４００、１００１  第一劣化パス検出部
５００、１００２  関連パス計算部
６００、１００３  第二劣化パス検出部
７００、１００４  故障位置特定部
８００  波長パスデータベース
８０１  リンクテーブル
８０２  パラメータテーブル
１０００、２０００  制御装置
【図１】
0005846222.tif 000002
【図２】
0005846222.tif 000003
【図３】
0005846222.tif 000004
【図４】
0005846222.tif 000005
【図５】
0005846222.tif 000006
【図６】
0005846222.tif 000007
【図７】
0005846222.tif 000008
【図８】
0005846222.tif 000009
【図９】
0005846222.tif 000010
【図１０】
0005846222.tif 000011
【図１１】
0005846222.tif 000012
【図１２】
0005846222.tif 000013
【図１３】
0005846222.tif 000014
【図１４】
0005846222.tif 000015